(57)【特許請求の範囲】
【請求項１】
構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、
上記柱を設置する位置及び上記柱を埋設するためのガイドを設置するための布堀の位置を定め、上記布堀を掘る布堀工程と、
上記布堀の柱を建てる位置に上記柱を上記パネルが降下する所定の深さより深く削孔する柱建込み・削孔工程と、
上記柱を埋設する案内部を有し、外枠と内枠とで構成されたガイドを組み立て、設置するガイド設置工程と、
上記ガイドに沿わせて上記布堀に柱を建込み、上記深い部分にコンクリートを打設して柱を固定する柱建込み・根固め工程と、
ガイドの外枠を撤去するガイド外枠撤去工程と、
上記柱間にパネルを吊り込みながらパネルの下部を掘削し、パネルを落とし込むパネル建込み・本体掘削工程と、
上記壁が土圧により内側にせり出すのを防ぐための補強つなぎ梁を、各柱と四方の壁の上部に設置するつなぎ梁打設工程と、
つなぎ梁のコンクリートが固化した後に、ガイドの内枠を撤去するガイド内枠撤去工程とを上記の実行順序で含むことを特徴とする地下構造物施工法。
【請求項２】
構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、
上記柱を設置する位置及び上記柱を埋設するためのガイドを設置するための布堀の位置を定め、上記布堀を掘る布堀工程と、
上記布堀の柱を建てる位置に上記柱を上記パネルが降下する所定の深さより深く削孔する柱建込み・削孔工程と、
上記柱を埋設する案内部を有し、外枠と内枠とで構成されたガイドを組み立て、設置するガイド設置工程と、
上記ガイドに沿わせて上記布堀に柱を建込み、上記深い部分にコンクリートを打設して柱を固定する柱建込み・根固め工程と、
ガイドの外枠を撤去するガイド外枠撤去工程と、
上記柱間にパネルを吊り込みながらパネルの下部を掘削し、パネルを落とし込むパネル建込み・本体掘削工程と、
落とし込まれた壁で囲まれた部分の下部に底版を設ける底版打設工程と、
上記壁が土圧により内側にせり出すのを防ぐための補強つなぎ梁を、各柱と四方の壁の上部に設置するつなぎ梁打設工程と、
つなぎ梁のコンクリートが固化した後に、ガイドの内枠を撤去するガイド内枠撤去工程とを上記の実行順序で含むことを特徴とする地下構造物施工法。
【請求項３】
構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、
上記柱を設置する位置及び上記柱を埋設するためのガイドを設置するための布堀の位置を定め、上記布堀を掘る布堀工程と、
上記布堀の柱を建てる位置に上記柱を上記パネルが降下する所定の深さより深く削孔する柱建込み・削孔工程と、
上記柱を埋設する案内部を有し、外枠と内枠とで構成されたガイドを組み立て、設置するガイド設置工程と、
上記ガイドに沿わせて上記布堀に柱を建込み、上記深い部分にコンクリートを打設して柱を固定する柱建込み・根固め工程と、
ガイドの外枠を撤去するガイド外枠撤去工程と、
上記柱間にパネルを吊り込みながらパネルの下部を掘削し、パネルを落とし込むパネル建込み・本体掘削工程と、
パネルと柱との間隔部に止水剤を填充し、互いに隣り合う両パネルの側端面間の空間の内側に型枠を設置し、この空間内にモルタルを填充するパネル止水とモルタル填充工程と、
上記壁が土圧により内側にせり出すのを防ぐための補強つなぎ梁を、各柱と四方の壁の上部に設置するつなぎ梁打設工程と、
つなぎ梁のコンクリートが固化した後に、ガイドの内枠を撤去するガイド内枠撤去工程とを上記の実行順序で含むことを特徴とする地下構造物施工法。
【請求項４】
請求項1、２または３記載の地下構造物施工法が、２段、昇降式地下機械式駐車場を設置するための地下構造物の施工方法であることを特徴とする地下構造物施工法。
【発明の詳細な説明】
【０００１】
【発明の属する技術分野】
本発明は、地下構造物施工法、詳しくは、構築すべき地下構造物の各コーナー部及び各コーナー部間の所定中間位置に鉛直に埋設した相隣る柱間にコンクリート製パネルを該パネルの下方の土を掘削除去することにより降下させて四方をパネルで囲む地下構造物施工法に関する。
【０００２】
【従来の技術】
地下構造物施工法として、構築すべき地下構造物の各コーナー部及び各コーナー部間の所定中間位置にコンクリート製の柱を鉛直に埋設し、相隣る柱間にコンクリート製のパネルを、このパネルの下方の土を掘削除去することにより所定の深さまで降下させて各パネルの両側縁と各柱とを互いの結合部で連結すると共に、床板をコンクリートで打設する地下構造物施工法において、各パネルの両側縁と各柱との結合部を、ボルトなどの連結手段で結合する地下構造物施工法が知られている（特許２８２８９５４号）。
【０００３】
【発明が解決しようとする課題】
特許２８２８９５４号の地下構造物施工法によれば、各パネルの両側縁と各柱との結合部を、ボルト又は溶接手段で連結するので、地下構造物を構築するのに、連結処理をしなければならないという問題点がある。
【０００４】
【課題を解決するための手段】
請求項１の発明は、構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、上記柱を設置する位置及び上記柱を埋設するためのガイドを設置するための布堀の位置を定め、上記布堀を掘る布堀工程、上記布堀の柱を建てる位置に上記柱を上記パネルが降下する所定の深さより深く削孔する柱建込み・削孔工程、上記柱を埋設する案内部を有し、外枠と内枠とで構成されたガイドを組み立て、設置するガイド設置工程、上記ガイドに沿わせて上記布堀に柱を建込み、上記深い部分にコンクリートを打設して柱を固定する柱建込み・根固め工程、ガイドの外枠を撤去するガイド外枠撤去工程、上記柱間にパネルを吊り込みながらパネルの下部を掘削し、パネルを落とし込むパネル建込み・本体掘削工程、上記壁が土圧により内側にせり出すのを防ぐための補強つなぎ梁を、各柱と四方の壁の上部に設置するつなぎ梁打設工程、つなぎ梁のコンクリートが固化した後に、ガイドの内枠を撤去するガイド内枠撤去工程を上記の実行順序で含むことを特徴とする。
【０００５】
請求項２の発明は、構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、上記柱を設置する位置及び上記柱を埋設するためのガイドを設置するための布堀の位置を定め、上記布堀を掘る布堀工程、上記布堀の柱を建てる位置に上記柱を上記パネルが降下する所定の深さより深く削孔する柱建込み・削孔工程、上記柱を埋設する案内部を有し、外枠と内枠とで構成されたガイドを組み立て、設置するガイド設置工程、上記ガイドに沿わせて上記布堀に柱を建込み、上記深い部分にコンクリートを打設して柱を固定する柱建込み・根固め工程、ガイドの外枠を撤去するガイド外枠撤去工程、上記柱間にパネルを吊り込みながらパネルの下部を掘削し、パネルを落とし込むパネル建込み・本体掘削工程、落とし込まれた壁で囲まれた部分の下部に底版を設ける底版打設工程、上記壁が土圧により内側にせり出すのを防ぐための補強つなぎ梁を、各柱と四方の壁の上部に設置するつなぎ梁打設工程、つなぎ梁のコンクリートが固化した後に、ガイドの内枠を撤去するガイド内枠撤去工程を上記の実行順序で含むことを特徴とする。
【０００６】
請求項３の発明は、構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、上記柱を設置する位置及び上記柱を埋設するためのガイドを設置するための布堀の位置を定め、上記布堀を掘る布堀工程、上記布堀の柱を建てる位置に上記柱を上記パネルが降下する所定の深さより深く削孔する柱建込み・削孔工程、上記柱を埋設する案内部を有し、外枠と内枠とで構成されたガイドを組み立て、設置するガイド設置工程、上記ガイドに沿わせて上記布堀に柱を建込み、上記深い部分にコンクリートを打設して柱を固定する柱建込み・根固め工程、ガイドの外枠を撤去するガイド外枠撤去工程、上記柱間にパネルを吊り込みながらパネルの下部を掘削し、パネルを落とし込むパネル建込み・本体掘削工程、パネルと柱との間隔部に止水剤を填充し、互いに隣り合う両パネルの側端面間の空間の内側に型枠を設置し、この空間内にモルタルを填充するパネル止水とモルタル填充工程、上記壁が土圧により内側にせり出すのを防ぐための補強つなぎ梁を、各柱と四方の壁の上部に設置するつなぎ梁打設工程、つなぎ梁のコンクリートが固化した後に、ガイドの内枠を撤去するガイド内枠撤去工程を上記の実行順序で含むことを特徴とする。
【０００７】
請求項４の発明は、請求項１、２または３記載の地下構造物施工法が、２段、昇降式地下機械式駐車場を設置するための地下構造物の施工方法であることを特徴とする。
【０００８】
【発明の作用効果】
本発明によれば、構築すべき地下構造物の各コーナー部及び各コーナー部間の所定中間位置にコンクリート製の柱を鉛直に埋設し、相隣る柱間にコンクリート製のパネルを、該パネルの下方の土を掘削除去することにより所定の深さまで降下させて地下室の四方を囲む地下構造物施工法において、落とし込まれた壁の上部四方に枠型の補強つなぎ梁を設けたので、各パネルと各柱とをボルトなどの連結手段で結合することなく、土圧により壁が内側にせり出すのを防ぐことができる。
【０００９】
【実施例】
地下構造物施工法の各工程を図１に示す。
（１）準備工程１
地下構造物の施工法に先だって、地下構造物としての駐車場や部屋などの地下室を構築すべき予定地に、施工用の重機等の機械の空き地及び施工資材置場などの確保を行う。また、柱設置予定位置の確認を行い、柱を埋設するためのガイドを設置するための布掘を掘る布堀工程の掘削ラインを確定する。
（２）布堀工程２
上記施工地の上記掘削ラインに沿って図２に示すように、深さは１．０ｍ、幅は、後述するガイドＲ（図１１参照）を設置できる幅に、バックホーＢを使用して、布堀Ｎを行う。布堀Ｎとは、地下構造物を構築すべき予定地にガイドＲを設置するために地下構造物を構築すべき予定地に形成した堀をいう。
（３）柱建込み・削孔工程３
図３に示すように布堀Ｎの柱を建てる削孔位置を正確に測量し、この削孔位置にオーガー削孔機Ｇにより柱を建てる孔１３を削孔する。この孔１３の大きさは、柱の外形より一回り大きく、深さは、図７に示すように、後述するパネル８０（図２７参照）を地下構造物の底の位置（図７において、破線で示す）より、建て込んだパネル８０の建て方向の長さだけ深く掘られる。この柱建込み・削孔工程３では、削孔時の孔壁が崩落するような地山に削孔する場合は、削孔の壁が崩れないようにケーシングを使用して削孔する。
（４）ガイド設置工程４
図４に示すように、ガイドＲを設置するに先立ち、ガイドＲを設置する部分の基面を、ガイドＲを設置するのに支障をきたさないように整正し、その後、ガイドＲを所定の位置に正確に設置する。
【００１０】
ガイドＲは、図１１ないし１６に示すように、地下構造物を構築すべき土地の大きさより、一回り大きく、四本のＨ鋼１１ａ、１２ａ、１３ａ、１４ａを互いに組み合わせた外枠１１Ａと、その外枠１１Ａから後述する中間柱５０、コーナー用柱６０（図１９、２４参照）の厚みだけ内側に隔てた四本のＨ鋼１１ｂ、１２ｂ、１３ｂ、１４ｂを互いに組み合わせた内枠１１Ｂとで構成されている上ガイド１１Ｇと、この上ガイド１１Ｇと同様に鋼材１１ａｇ、１２ａｇ、１３ａｇ、１４ａｇ、１１ｂｇ、１２ｂｇ、１３ｂｇ、１４ｂｇ（１２ａｇ、１３ａｇ、１１ｂｇ、１２ｂｇ、１３ｂｇは、図示されず）を互いに組み合わせた下ガイド１１ｇとを両ガイドの間を一定の間隙を隔てて、断面コ字状鋼材２１、２２、２３、２４、２５、２６、２７、２８、２９、３０、３１、３２、３３、３４、３５、３６、３７、３８、３９、４０で繋いだ上下２重構造のものからなる。
【００１１】
このガイドＲにおける連結状態を、四方のコーナーのうち、図１３、１５に示す一つのコーナー部における連結状態で代表して説明し、他のコーナー部の説明は省略する。図１３、１５において、上ガイド１１Ｇのコーナー部においては、外枠のＨ鋼１１ａ、Ｈ鋼１４ａと断面コ字状鋼材２１、４０とは、それぞれボルト４１ａ、４２ａとナット４１ｂ、４２ｂとで、さらに、内枠のＨ鋼１１ｂ、１４ｂと、断面コ字状鋼材２１、４０とは、それぞれ他のボルト４３ａ、４４ａとナット４３ｂ、４４ｂとで、それぞれ連結されている。上ガイド１１Ｇと下ガイド１１ｇとは、同じ組み合わせた構成であるので、上記連結状態と同じ符号を付してその説明は省略する。
【００１２】
ガイドＲにおける各コーナー部間の所定の中間部の上ガイド１１ｇの連結状態を、図１１のＣの部分の中間部の連結状態で代表して、図１３、１６により説明し、他の中間部の連結状態の説明は省略する。図１３、１６において、外枠のＨ鋼１１ａと断面コ字状鋼材２２、２３とは、それぞれボルト４５ａ、４６ａとナット４５ｂ、４６ｂとで、さらに、内枠のＨ鋼１１ｂと、断面コ字状鋼材２２、２３とは、それぞれ他のボルト４７ａ、４８ａとナット４７ｂ、４８ｂとで、それぞれ連結されている。上ガイド１１Ｇと下ガイド１１ｇとは、同じ組み合わせた構成であるので、上記連結状態は同じ符号を付してその説明は省略する。
【００１３】
以上のように外枠１１Ａと内枠１１Ｂとを連結して組み合わせると、ガイドＲの四方のコーナー部ＲＡ、ＲＢ、ＲＣ、ＲＤには後述するコーナー用柱６０を建て込む案内穴ＲＷ（図１３、１５参照）が及び各コーナー部の所定の中間位置に相当する部位ＲＥ、ＲＦ、ＲＧ、ＲＨ、ＲＩ、ＲＪには、後述する中間用柱５０を建て込む案内穴ＲＹ（図１３、１６参照）がそれぞれ設けられることになる。
図１５、１６において、ボルトとナットを仮想線で示す。図１３、１５に示すようにガイドＲのコーナー部１１Ａの案内穴ＲＷの内部には、コーナー用柱６０との隙間を埋めて案内するための断面Ｌ字状鋼ＲＫ、ＲＬ、ＲＭ、ＲＮが設けられる。断面Ｌ字状鋼ＲＫ、ＲＬ、ＲＭ、ＲＮは、ガイドＲに溶接付けされている。さらに中間部Ｃの案内穴ＲＹの内部には、中間柱５０との間隙を埋めて案内するための断面コ字状鋼材ＲＱが設けられている。この断面コ字状鋼材ＲＱは、ガイドＲにボルトで固定されている。
（５）柱建込み・根固め工程５
図５に示すように、ガイドの案内穴ＲＷ及び案内穴ＲＹ（図１３参照）に添わせ、削孔穴１３内に、レッカー車Ｋのクレーンにより、コーナー用柱６０（図１４参照）及び中間柱５０をそれぞれ建て込み、各柱の間隔を正確に測量し、削孔穴１３内であって、図５の破線で示した位置より穴の奥にコンクリートを流し込み、中間柱５０、コーナー用柱６０を削孔穴１３内に固定する。この流し込むコンクリートは、骨材が分離しないようにショートホースで打設する。ガイドＲは、コーナー用柱６０及び中間柱５０をそれぞれ建て込むのに際し、その建て込む位置の更なる精度を期するために設けられる。
【００１４】
中間柱５０は、図１７ないし２０に示すように、断面略長方形柱の形状をしており、その内側中央部には、柱の長手方向に、台形に突出し、その頂きが平面をした合わせ部材取付け面５１が形成されている。中間柱５０は、内部に長四形状と、山形形状とを組み合わせて編んだ鉄筋５８が、骨材として配置されたコンクリート製の柱であって、頂部には、クレーン吊り上げ用のアイボルトＩＢを着脱自在に螺合することができる、下部が２又状をしたインサート部材ＩＳが複数本、埋め込まれており、インサート部材ＩＳには、アイボルトＩＢが螺合している。
【００１５】
合わせ部材取付け面５１には、両側に係合部５４ａ、５４ａが形成された縦長四辺形をした板状の合わせ部材５４が、複数枚、ボルト５６で固定されている。ボルト５６は、柱の内部に、埋め込まれているインサート部材ＩＳに着脱自在に螺合することにより固定されている。以下、ボルトが柱内部に埋め込まれたインサー部材に螺合されているボルトである場合は、単にインサート部材付きボルトという。合わせ部材取付け面５１の両側には、柱の長手方向にシール材を填充する溝Ｍ，Ｍが設けられている。
【００１６】
コーナー用柱６０は、図２１ないし２５に示すように、正方柱の互いに隣り合う２面部を柱の縦方向に切除した断面Ｌ字状柱をした形状をしており、その直角に交わった２つの面に段部をなす合わせ部材取り付け面６２、６２が形成されている。合わせ部材取り付け面６２、６２には、断面Ｘ字状柱形状をした合わせ部材７０が、柱の長手方向に、複数個、Ｘ形状の両足部７１、７２をインサート部材付きボルト６５で固定している。合わせ部材７０は、そのＸ形状の両足部７１、７２と、合わせ部７３、７４との中央部で溶接付けされている。コーナー用柱６０は、内部にＬ字状の編んだ鉄筋６７に、基材として配置したコンクリート製の柱であって、頂部には、クレーン吊り上げ用のアイボルトＩＢを着脱自在に埋め込むことができる下部が２又状をしたインサート部材ＩＳが複数本、埋め込まれており、インサート部材ＩＳには、アイボルトＩＢが螺合されている。
（６）ガイド外枠撤去工程６
図６に示すように根固め工程で流し込んだコンクリートが固化し、柱５０が削孔穴の中で固定したのち、各柱間にパネル８０（図７参照）を建て込むのに邪魔になるガイドの外枠１１Ａと断面コ字状鋼材２１、２２、２３、２４、２５、２６、２７、２８、２９、３０、３１、３２、３３、３４、３５、３６、３７、３８、３９、４０とを、ボルト４３ａ、４４ａ、４７ａ、４８aを外すことにより（図１１参照）、布堀Ｎから撤去する。ガイド内枠１１Ｂは、支保工として使用するために組み立てた位置に残置しておく。
（７）パネル建込み・本体掘削工程７
図７に示すように、レッカー車Ｋのクレーンにより、後述するパネル８０を吊り、各柱の合わせ部材５４、７０にパネルの合わせ部材８１、８２を合わせて（図２９、３１参照）、パネルを建て込む。建て込まれたパネルで囲まれた本体部は、バックホーＢにより掘削を行い、パネル８０の下部は、人力によりパネル８０を吊り込みながら掘削を行い落とし込むものとする。
【００１７】
中間柱５０とコーナー用柱６０と間に設けるパネル８０は、図２６ないし２８に示すように、中間柱５０側の側端面８０ａには、断面Ｌ字状の合わせ部材８１が、インサート部材付きのボルト８５により固定されている。この合わせ部材８１の自由端部８１ａはパネル８０の外側を向いて配置されている。この自由端部８１ａは、中間柱５０の合わせ部材５４と中間柱５０の内側表面５３との間に嵌合する長さを有している（図３１参照）。
【００１８】
コーナー用柱６０側の側端面８０ｂにも、断面Ｌ字状の合わせ部材８２が、インサート部材付きのボルト８５により固定されている。この断面Ｌ字状の合わせ部材８２は、その自由端部８２ａは、パネル８０の内側を向いて配置されている。この自由端部８２ａは、コーナー用柱の合わせ部材７０の合わせ部７１、７２と、コーナー用柱６０の表面６３との間に嵌合する長さを有している（図２９参照）。パネル８０の上部には、クレーン吊り上げ用のアイボルトＩＢを着脱自在に埋め込むことができる、下部が２又状をしたインサート部材ＩＳが複数本、埋め込まれており、インサート部材ＩＳには、アイボルトＩＢが螺合されている。パネル８０は、内部に格子目状の鉄筋８６を骨材として配置したコンクリート製の板部材である。このパネル８０は、中間柱５０とコーナー用柱６０と間に設けるパネル８０を示していて、このパネル８０の他に、各中間柱５０、５０間にパネルを設ける場合があるが、そのパネルは、上記パネル８０の両合わせ部材がいずれも外側と向いて設けられている点のみ違うので、上記のパネルの説明を流用し、その構成の説明は省略する。
【００１９】
コーナー用柱６０においては、図２９、３０に示すように、合わせ部材７０の合わせ部７３、７４と、柱の表面６３、６３との間に、パネル８０の側端部８０ｂを合わせ部材８２と合わせ部材７２、７３とが摺動するように、パネルを建て込む。中間柱５０においては、図３１、３２に示すように、合わせ部材８４の合わせ部８４ａと柱の表面５３の間に、パネル８０の側端部８０ａを合わせ部材８４ａと合わせ部材８２ａとが摺動するように、パネル８０を建て込む。
【００２０】
相隣るコーナー用柱６０と中間柱５０との間、及び相隣る中間柱間にパネル８０を、落とし込んで、図３３ないし３５に示すように、四方をパネルで囲む地下構造物を構築する。この地下構築物としては、３連の2段昇降式地下駐車場である。
（８）底版打設工程８
図８に示すように本体部の底の基面を整正し、基礎材Ｋを敷均し、ランマー、ダンバーで締固めを行い、建て込んだパネル８０に取付けてあるインサート部材に、アンカー筋を取付けて、底版部の配筋を行う。この底版部の配筋した部分に底版コンクリートをシュートＳを使用し打設を行い、底版Ｗ（図９参照）を打設した表面を金ゴテで仕上げる。
（９）パネル止水・モルタル填充工程９
建て込んだ各パネル８０と各柱６０、５０との間隙部、特に溝Ｍに、発泡ゴム剤などの止水剤を填充し、止水する。互いに隣り合う両パネルの側端面８０ａ、８０ｂ間の空間に合板などの型枠９０を設置し、この空間内にモルタルを填充する（図２９、３１参照）。
（１０）つなぎ梁打設工程１０
図９に示すように各柱と四方の壁の上部Ｏに、つなぎ梁部の基礎材を敷均し、各柱及び各パネルの上部の吊り込み用アイボルトを鉄筋アイボルトに取り替え、鉄筋を配置し、つなぎ梁用型枠をつなぎ梁の設置部位に設置し、その内部に配筋をし、型枠内にコンクリートを打設しつなぎ梁９５を設置する（図１０参照）。
【００２１】
地下構造物が、３連以上の２段昇降式地下駐車場である場合は、柱が土圧で内側にせり出すのを防ぐために各中間柱の上部間を繋ぐストラット９６を設置する（図３３参照）。ストラット９６は、図３６に示すように、内部に四角に組んだ鉄筋９６ａを骨材としてコンクリート製の部材である。
【００２２】
つなぎ梁９５は、図３３ないし３５において、建て込んだ各パネル８０、８０、８０、８０及び各柱６０、５０、５０、６０の上部を、四角リング状に一定の幅を持って設置されるものであって、壁が土圧により内側にせり出すのを防ぐことができる。符号ＡＮは、アンカーボルトを示している。
（１１）ガイド内枠撤去工程１１
図１０において、つなぎ梁９５のコンクリートが固化した後に、ガイド内枠１１Ｂを各パネル８０、８０、８０、８０及び各柱６０、５０、５０、６０から撤去し、３連の２段、昇降式地下機械式駐車場、即ち地下構造物が完成し、地下構造物施工法は完了する。
【００２３】
図６、７及び９において、符号Ｚは、仮設部材を示している。
【００２４】
３連の２段、昇降式地下機械式駐車場は、図３３ないし３５に示すように、各コーナー用柱と各中間柱と各パネルとにより壁か構成され、その底に底版Ｗを打設し、壁の上部につなぎ梁９５が設けれられる。図３３、３５において、符号１００は、排水路を示している。
【００２５】
以上の実施例は、地下構造物として、３連の２段、昇降式地下機械式駐車場を設置するための施工例を例にあげて、説明したが、本発明は、３連の２段、昇降式地下機械式駐車場でなく、２連から１４連の２段、昇降式地下機械式駐車場を設置する施工例にも、適用されることはいうまでもない。
【図面の簡単な説明】
【図１】本発明の地下構造物施工法の工程図である。
【図２】図１の布堀工程を説明する説明図である。
【図３】図１の柱建込み・削孔工程を説明する説明図である。
【図４】図１のガイド設置工程を説明する説明図である。
【図５】図１の柱建込み・根固め工程を説明する説明図である。
【図６】図１のガイド外枠撤去工程を説明する説明図である。
【図７】図１のパネル建込み・本体掘削工程を説明する説明図である。
【図８】図１の底版打設工程を説明する説明図である。
【図９】図１のつなぎ梁打設工程を説明する説明図である。
【図１０】図１のガイド内枠撤去工程を説明する説明図である。
【図１１】本発明の地下構造物施工法に採用されるガイドの平面図である。
【図１２】本発明の地下構造物施工法に採用されるガイドの側面図である。
【図１３】本発明の地下構造物施工法に採用されるガイドの部分拡大平面図である。
【図１４】図１３のＡ−Ａ線部分断面側面図である。
【図１５】本発明の地下構造物施工法に採用されるガイドのコーナ部斜視図である。
【図１６】本発明の地下構造物施工法に採用されるガイドの中間部斜視図である。
【図１７】本発明の地下構造物施工法に採用される中間柱の一例を示す平面図である。
【図１８】本発明の地下構造物施工法に採用される中間柱の一例を示す正面図である。
【図１９】本発明の地下構造物施工法に採用される中間柱の一例を示す斜視図である。
【図２０】図１９のＤ−Ｄ線断面図である。
【図２１】本発明の地下構造物施工法に採用されるコーナー用柱の一例を示す平面図である。
【図２２】本発明の地下構造物施工法に採用されるコーナー用柱の一例を示す正面図である。
【図２３】本発明の地下構造物施工法に採用されるコーナー用柱の一例を示す右側面図である。
【図２４】本発明の地下構造物施工法に採用されるコーナー用柱の一例を示す斜視図である。
【図２５】図２４のＨ−Ｈ線断面図である。
【図２６】本発明の地下構造物施工法に採用されるパネルの一例を示す平面図である。
【図２７】本発明の地下構造物施工法に採用されるパネルの一例を示す正面図である。
【図２８】図２７のＥ−Ｅ線断面図である。
【図２９】コーナー用柱において、パネルが合わせ部材によって建て込まれた状態を示す平面図である。
【図３０】図２９のＦ−Ｆ線縦断正面図である。
【図３１】中間柱において、パネルが合わせ部材によって建て込まれた状態を示す平面図である。
【図３２】中間柱において、パネルが合わせ部材によって建て込まれた状態を示す正面図である。
【図３３】本発明の地下構造物施工法によって構築された地下構造物の平面図である。
【図３４】本発明の地下構造物施工法によって構築された地下構造物の中央縦断面図である。
【図３５】本発明の地下構造物施工法によって構築された地下構造物の中央横断面図である。
【図３６】本発明の地下構造物施工法に採用されるストラットの断面図である。
【符号の説明】
１１Ａ            外枠
１１Ｂ            内枠
５０            中間柱
６０            コーナー用柱
８０            パネル
９５            つなぎ梁
Ｒ            ガイド
【図１】
0003556559.tif 000002
【図２】
0003556559.tif 000003
【図３】
0003556559.tif 000004
【図４】
0003556559.tif 000005
【図５】
0003556559.tif 000006
【図６】
0003556559.tif 000007
【図７】
0003556559.tif 000008
【図８】
0003556559.tif 000009
【図９】
0003556559.tif 000010
【図１０】
0003556559.tif 000011
【図１１】
0003556559.tif 000012
【図１２】
0003556559.tif 000013
【図１３】
0003556559.tif 000014
【図１４】
0003556559.tif 000015
【図１５】
0003556559.tif 000016
【図１６】
0003556559.tif 000017
【図１７】
0003556559.tif 000018
【図１８】
0003556559.tif 000019
【図１９】
0003556559.tif 000020
【図２０】
0003556559.tif 000021
【図２１】
0003556559.tif 000022
【図２２】
0003556559.tif 000023
【図２３】
0003556559.tif 000024
【図２４】
0003556559.tif 000025
【図２５】
0003556559.tif 000026
【図２６】
0003556559.tif 000027
【図２７】
0003556559.tif 000028
【図２８】
0003556559.tif 000029
【図２９】
0003556559.tif 000030
【図３０】
0003556559.tif 000031
【図３１】
0003556559.tif 000032
【図３２】
0003556559.tif 000033
【図３３】
0003556559.tif 000034
【図３４】
0003556559.tif 000035
【図３５】
0003556559.tif 000036
【図３６】
0003556559.tif 000037